(57)【特許請求の範囲】
【請求項１】
ＩＣチップを含むＩＣカードの表面および裏面に個人の表面情報および裏面情報を印字するとともに、ＩＣチップに表面情報と裏面情報を書き込むＩＣカードの印字、書込システムにおいて、
各個人のＩＤ情報が入力されるＩＤ情報入力部と、
多数の個人の表面情報および裏面情報がＩＤ情報とともに蓄えられ、ＩＤ情報入力部からのＩＤ情報に基づいて、当該ＩＤ情報に対応する個人のＩＤ情報および表面情報、および個人のＩＤ情報および裏面情報を出力可能なデータベースと、
データベースからのＩＤ情報および表面情報に基づいて、ＩＣカードの表面に表面情報を印字する第１プリンタと、
データベースからのＩＤ情報および表面情報に基づいて、ＩＣチップにＩＤ情報および表面情報を書き込む第１リーダライタと、
ＩＤ情報および裏面情報に基づいてＩＣチップに裏面情報を書き込む第２リーダライタと、
データベースからのＩＤ情報および裏面情報またはＩＣチップに書込まれたＩＤ情報および裏面情報に基づいてＩＣカードの裏面に裏面情報を印字する第２プリンタと、を備え、
第１プリンタおよび第１リーダライタの下流側に、第２リーダライタおよび第２プリンタが配置され、
第１プリンタおよび第１リーダライタと、第２リーダライタおよび第２プリンタとの間に、選別排出部が設けられ、この選別排出部はＩＣカードのＩＣチップのＩＤ情報を読み取る機能を有するとともに、読み取ったＩＤ情報を裏面情報判断部へ送り、この裏面情報判断部により裏面情報有りと判断した場合、選別排出部は当該ＩＣカードを第２リーダライタおよび第２プリンタ側へ送り、裏面情報判断部により裏面情報なしと判断した場合、選別排出部は、ＩＣカードをＩＣカードの印字、書込システムの外方へ排出することを特徴とするＩＣカードの印字、書込システム。
【請求項２】
データベースに、データベースからのＩＤ情報および表面情報を第１プリンタおよび第１リーダライタへ送るとともに、データベースからのＩＤ情報および裏面情報を第２プリンタおよび第２リーダライタへ送る表裏面情報出力部が接続されていることを特徴とする請求項１記載のＩＣカードの印字、書込システム。
【請求項３】
ＩＤ情報に対応した顔画像情報を生成する顔画像情報生成手段を更に備え、
表裏面情報出力部は、顔画像情報生成手段からの顔画像情報をＩＤ情報および表面情報とともに出力し、
第１プリンタは表裏面情報出力部から送られた表面情報、顔画像情報およびＩＤ情報に基づいて、ＩＣカードの表面に表面情報および顔画像情報を印字することを特徴とする請求項２記載のＩＣカードの印字、書込システム。
【請求項４】
顔画像情報生成手段は撮影装置を含むことを特徴とする請求項３記載のＩＣカードの印字、書込システム。
【請求項５】
顔画像情報生成手段は、予め作成された顔画像を電子データとして取込む装置を含むことを特徴とする請求項３記載のＩＣカードの印字、書込システム。
【請求項６】
第２リーダライタは裏面情報判断部を一体に組込んでいることを特徴とする請求項１記載のＩＣカードの印字、書込システム。
【請求項７】
第２リーダライタは裏面情報判断部の下流側に、裏面情報判断部と別体に設けられていることを特徴とする請求項１記載のＩＣカードの印字、書込システム。
【請求項８】
ＩＣチップを含むＩＣカードの表面および裏面に個人の表面情報および裏面情報を印字するとともに、ＩＣチップに表面情報と裏面情報を書き込むＩＣカードの印字、書込システムにおいて、
各個人のＩＤ情報が入力されるＩＤ情報入力部と、
多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、
データベースからのＩＤ情報、表面情報および裏面情報に基づいて、ＩＣチップにＩＤ情報、表面情報および裏面情報を書き込む第１リーダライタと、
データベースからのＩＤ情報および表面情報に基づいて、ＩＣカードの表面に表面情報を印字する第１プリンタと、
裏面情報判断部により裏面情報有りと判断した場合に、データベースからのＩＤ情報および裏面情報に基づいてＩＣカードの裏面に裏面情報を印字する第２プリンタと、を備え、
第１プリンタおよび第１リーダライタの下流側に、第２プリンタが配置され、  第１プリンタおよび第１リーダライタと、第２プリンタとの間に、選別排出部が設けられ、この選別排出部はＩＣカードのＩＣチップのＩＤ情報を読み取る機能を有するとともに、読み取ったＩＤ情報を裏面情報判断部へ送り、この裏面情報判断部により裏面情報有りと判断した場合、選別排出部は当該ＩＣカードを第２プリンタ側へ送り、裏面情報判断部により裏面情報なしと判断した場合、選別排出部は、ＩＣカードをＩＣカードの印字、書込システムの外方へ排出することを特徴とするＩＣカードの印字、書込システム。
【発明の詳細な説明】
【技術分野】
【０００１】
本発明は社員カード、銀行カード、運転免許証等のＩＣカードを作製するため、ＩＣカードに対して必要な文字および顔画像を印字するとともにＩＣチップに必要な情報を書き込むＩＣカードの印字、書込システムに関する。
【背景技術】
【０００２】
従来よりＩＣカードを作製する場合、ＩＣカード用書込機能付プリンタを用いて、ＩＣチップを含むＩＣカードの表面に必要な文字および顔画像を印字し、更にこれら必要な情報をＩＣカードのＩＣチップ内に書き込んでいる。
【０００３】
またＩＣカードの表面に印字できない情報については、プリントされた用紙をみてオペレータが手動にてその内容を確認しながらＩＣカードの裏面に印字するとともに、オペレータが手動でＩＣカードの裏面の情報はＩＣチップ内に追加して書込んでいる。
【０００４】
他方、ＩＣカードの表面および裏面に各々表面情報および裏面情報を印字する技術は知られている（特開２００８−２３９０６）。
【先行技術文献】
【特許文献】
【０００５】
【特許文献１】特開２００８−２３９０６
【発明の概要】
【発明が解決しようとする課題】
【０００６】
上述のようにＩＣカードを作製する場合、ＩＣカード用書込機能付プリンタを用いて、ＩＣカードの表面に必要な文字および顔画像を印字している。またＩＣカードの表面に印字できない情報については、プリントされた用紙をみながらオペレータが手動にてその内容を確認しながらＩＣカードの裏面に印字するとともに、ＩＣカードの裏面の情報をＩＣチップ内に追加して書込んでいる。
【０００７】
ところでＩＣカードの表面に表面情報を印字したり、ＩＣカードの裏面に裏面情報を印字する作業はすべてのＩＣカードに求められているのではなく、表面に表面情報を印字するだけで裏面に裏面情報を印字する必要のないＩＣカードも多数ある。このような場合、裏面情報を印字する必要のあるＩＣカードと、裏面情報を印字する必要のないＩＣカードを区別して処理することができれば、ＩＣカードを安全かつ効率良く作製することができて都合が良い。
【０００８】
本発明はこのような点を考慮してなされたものであり、裏面情報の印字が必要なＩＣカードと、裏面情報の印字が不要なＩＣカードとを区別して、安全かつ効率良くＩＣカードを作製することができるＩＣカードの印字、書込システムを提供することを目的とする。
【課題を解決するための手段】
【０００９】
本発明は、ＩＣチップを含むＩＣカードの表面および裏面に個人の表面情報および裏面情報を印字するとともに、ＩＣチップに表面情報と裏面情報を書き込むＩＣカードの印字、書込システムにおいて、各個人のＩＤ情報が入力されるＩＤ情報入力部と、多数の個人の表面情報および裏面情報がＩＤ情報とともに蓄えられ、ＩＤ情報入力部からのＩＤ情報に基づいて、当該ＩＤ情報に対応する個人のＩＤ情報および表面情報、および個人のＩＤ情報および裏面情報を出力可能なデータベースと、データベースからのＩＤ情報および表面情報に基づいて、ＩＣカードの表面に表面情報を印字する第１プリンタと、データベースからのＩＤ情報および表面情報に基づいて、ＩＣチップにＩＤ情報および表面情報を書き込む第１リーダライタと、ＩＤ情報および裏面情報に基づいてＩＣチップに裏面情報を書き込む第２リーダライタと、データベースからのＩＤ情報および裏面情報またはＩＣチップに書込まれたＩＤ情報および裏面情報に基づいてＩＣカードの裏面に裏面情報を印字する第２プリンタと、を備え、第１プリンタおよび第１リーダライタの下流側に、第２リーダライタおよび第２プリンタが配置され、第１プリンタおよび第１リーダライタと、第２リーダライタおよび第２プリンタとの間に、選別排出部が設けられ、この選別排出部はＩＣカードのＩＣチップのＩＤ情報を読み取る機能を有するとともに、読み取ったＩＤ情報を裏面情報判断部へ送り、この裏面情報判断部により裏面情報有りと判断した場合、選別排出部は当該ＩＣカードを第２リーダライタおよび第２プリンタ側へ送り、裏面情報判断部により裏面情報なしと判断した場合、選別排出部は、ＩＣカードをＩＣカードの印字、書込システムの外方へ排出することを特徴とするＩＣカードの印字、書込システムである。
【００１０】
本発明は、データベースに、データベースからのＩＤ情報および表面情報を第１プリンタおよび第１リーダライタへ送るとともに、データベースからのＩＤ情報および裏面情報を第２プリンタおよび第２リーダライタへ送る表裏面情報出力部が接続されていることを特徴とするＩＣカードの印字、書込システムである。
【００１１】
本発明は、ＩＤ情報に対応した顔画像情報を生成する顔画像情報生成手段を更に備え、表裏面情報出力部は、顔画像情報生成手段からの顔画像情報をＩＤ情報および表面情報とともに出力し、第１プリンタは表裏面情報出力部から送られた表面情報、顔画像情報およびＩＤ情報に基づいて、ＩＣカードの表面に表面情報および顔画像情報を印字することを特徴とするＩＣカードの印字、書込システムである。
【００１２】
本発明は、顔画像情報生成手段は撮影装置を含むことを特徴とするＩＣカードの印字、書込システムである。
【００１３】
本発明は、顔画像情報生成手段は、予め作成された顔画像を電子データとして取込む装置を含むことを特徴とするＩＣカードの印字、書込システムである。
【００１４】
本発明は、第２リーダライタは裏面情報判断部を一体に組込んでいることを特徴とするＩＣカードの印字、書込システムである。
【００１５】
本発明は、第２リーダライタは裏面情報判断部の下流側に、裏面情報判断部と別体に設けられていることを特徴とするＩＣカードの印字、書込システムである。
【００１６】
本発明は、ＩＣチップを含むＩＣカードの表面および裏面に個人の表面情報および裏面情報を印字するとともに、ＩＣチップに表面情報と裏面情報を書き込むＩＣカードの印字、書込システムにおいて、各個人のＩＤ情報が入力されるＩＤ情報入力部と、多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、データベースからのＩＤ情報、表面情報および裏面情報に基づいて、ＩＣチップにＩＤ情報、表面情報および裏面情報を書き込む第１リーダライタと、データベースからのＩＤ情報および表面情報に基づいて、ＩＣカードの表面に表面情報を印字する第１プリンタと、裏面情報判断部により裏面情報有りと判断した場合に、データベースからのＩＤ情報および裏面情報に基づいてＩＣカードの裏面に裏面情報を印字する第２プリンタと、を備え、第１プリンタおよび第１リーダライタの下流側に、第２プリンタが配置され、第１プリンタおよび第１リーダライタと、第２プリンタとの間に、選別排出部が設けられ、この選別排出部はＩＣカードのＩＣチップのＩＤ情報を読み取る機能を有するとともに、読み取ったＩＤ情報を裏面情報判断部へ送り、この裏面情報判断部により裏面情報有りと判断した場合、選別排出部は当該ＩＣカードを第２プリンタ側へ送り、裏面情報判断部により裏面情報なしと判断した場合、選別排出部は、ＩＣカードをＩＣカードの印字、書込システムの外方へ排出することを特徴とするＩＣカードの印字、書込システムである。
【発明の効果】
【００１７】
以上のように本発明によれば、裏面情報の印字が必要なＩＣカードと、裏面情報の印字が不要なＩＣカードとを区別し、裏面情報の印字が必要なＩＣカードのみに対して裏面印字部により裏面情報を印字することができる。裏面情報の印字が不要なＩＣカードは裏面印字部を経ることなく、そのまま外方へ排出される。このため表面あるいは裏面に表面情報あるいは裏面情報が印字されたＩＣカードを効率良く作製することができる。
【図面の簡単な説明】
【００１８】
【図１】図１は本発明によるＩＣカードの印字、書込システムの第１の実施の形態を示すブロック図。
【図２】図２は本発明によるＩＣカードの印字、書込システムに組込まれたＩＣカード用書込機能付プリンタを示す概略図。
【図３】図３（ａ）はＩＣカードの表面を示す図、図３（ｂ）はＩＣカードの裏面を示す図、図３（ｃ）は追記情報ラベルを示す図。
【図４】ＩＣカードの印字、書込システムの第１の実施の形態の変形例を示すブロック図。
【図５】図５は本発明によるＩＣカードの印字、書込システムの第２の実施の形態を示すブロック図。
【図６】図６は本発明によるＩＣカードの印字、書込システムに組込まれたＩＣカード用書込機能付プリンタを示す概略図。
【図７】図７はＩＣカードの印字、書込システムの第２の実施の形態の変形例を示すブロック図。
【発明を実施するための形態】
【００１９】
第１の実施の形態
以下、図面を参照して本発明の実施の形態について説明する。
【００２０】
図１乃至図３は本発明によるＩＣカードの印字、書込システムの一実施の形態を示す図である。
【００２１】
本発明によるＩＣカードの印字、書込システムは、図３（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、例えば社員カード、銀行カード、運転免許証等のＩＣカードを作製するものである。この場合、裏面情報のうちＩＣカード裏面に印字できない追記情報５ａは、追記情報ラベル５に印字される。
【００２２】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２３】
このようなＩＣカードの印字、書込システム１０は図１および図２に示すように、ＩＣカードの印字、書込みを行なう必要がある個人のＩＤ情報２ｃが入力されるＩＤ情報入力部１１と、多数の個人の表面情報２ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃおよび表面情報２ａ、あるいはＩＤ情報２ｃおよび裏面情報３ａを出力するデータベース１２と、ＩＤ情報入力部１１からのＩＤ情報２ｃに基づいて、このＩＤ情報２ｃに対応した顔画像情報２ｂを生成する顔画像生成手段１３とを備えている。
【００２４】
このうち顔画像生成手段１３はカメラ等の撮影装置、または予め作成された顔画像を電子データとして取込んで顔画像情報を生成する装置からなっている。
【００２５】
またデータベース１２および顔画像情報生成部１３に、データベース１２からのＩＤ情報２ｃおよびＩＤ情報２ｃに対応する表面情報２ａ、あるいはＩＤ情報２ｃおよびＩＤ情報に対応する裏面情報３ａが送られるとともに、顔画像情報生成部１３からの顔画像情報２ｂが送られる表裏面情報出力部１４が接続されている。さらに表裏面情報出力部１４に、ＩＤ情報２ｃ、表面情報２ａ、および顔画像情報２ｂに基づいて、ＩＣカード１の表面２に表面情報２ａ、顔画像情報２ｂおよびＩＤ情報２ｃを印字するＩＣカード用書込機能付プリンタ１５が接続されている。
【００２６】
このＩＣカード用書込機能付プリンタ１５においては、ＩＣカード１のＩＣチップ１ａ内に、表面情報２ａが書込まれる。
【００２７】
さらにＩＣカード用書込機能付プリンタ１５の下流側には、ＩＣカード１のＩＣチップ１ａ内に裏面情報３ａを書き込み、かつＩＣカード１の裏面に裏面情報３ａを印字する裏面書込機能付プリンタ４０が接続されている。
【００２８】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部１８が接続されている。
【００２９】
次にＩＣカード用書込機能付プリンタ１５について図２により更に詳述する。
【００３０】
図２に示すようにＩＣカード用書込機能付プリンタ１５は、ケーシング２０と、ケーシング２０内上方に設けられＩＣカード１を積層して収納するＩＣカード用スタッカ２１と、ＩＣカード用スタッカ２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印字される。
【００３１】
またＣ印刷部２４の下流側には、Ｙ印刷部２２、Ｍ印刷部２３およびＣ印刷部２４によって印刷されたインキをＩＣカード１の表面に定着させるインキ定着部２５が設けられ、さらにインキ定着部２５の下流側にはＩＣカード１の表面２に表面情報２ａおよびＩＤ情報２ｃを印字する表面印字部２６が設けられている。この場合、Ｙ印刷部２２、Ｍ印刷部２３、Ｃ印刷部２４、インキ定着部２５および表面印字部２６によって第１プリンタ２２〜２６が構成されている。
【００３２】
表面印字部２６を通過したＩＣカード１は第１搬送ライン３２から第１リーダライタ２７に送られ、落下部３８からケーシング２０下方にある第２搬送ライン３３へ送られる。
【００３３】
このうち、第１リーダライタ２７は、ＩＣカード１のＩＣチップ１ａに表面情報２ａおよびＩＤ情報２ｃを書込むものである。
【００３４】
さらに第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９のの下流側に第１保護シート上に更に第２保護シート（図示せず）を設ける第２保護シート形成部３０が設けられている。
【００３５】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を受け取り、第１集積部３５ａ、第２集積部３５ｂまたは裏面印字集積部３６へＩＣカード１を振分ける選別排出部３７が設けられている。
【００３６】
このうち第１集積部３５ａ、第２集積部３５ｂは、裏面３に対して印字する必要のないＩＣカード１をＩＣカード１の種類に基づいて集積するものである。また裏面印字集積部３６は、下流側の裏面書込機能付プリンタ４０によりＩＣチップ１ａ内に裏面情報３ａを書き込み、かつＩＣカード１の裏面３に対して裏面情報３ａを印字する必要があるＩＣカード１を集積するものである。
【００３７】
裏面印字集積部３６に送られたＩＣカード１は、その後裏面書込機能付プリンタ４０および追記情報ラベル発行部１８へ順次送られる。
【００３８】
ところで選別排出部３７は、ＩＣカード１のＩＣチップ１ａに書込まれたＩＤ情報２ｃを読み取る機能を有し、選別排出部３７により読み取られたＩＤ情報２ｃは裏面情報判断部３７ａに送られ、この裏面情報判断部３７ａにより当該ＩＣカード１に印字する裏面情報３ａが有るか否か判断される。
【００３９】
裏面情報判断部３７ａは、読み取られたＩＤ情報２ｃと、表裏面情報出力部１４内の情報に基づいて、ＩＣカード１に印字する裏面情報３ａが有るか否か判断し、印字すべき裏面情報３ａが有るＩＣカード１のみが選別排出部３７により裏面印字集積部３６に送られ、印字すべき裏面情報２ａがないＩＣカード１が第１集積部３５ａおよび第２集積部に送られる。
【００４０】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部（第２プリンタ）４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。
【００４１】
ところでＩＣカード用書込機能付プリンタ１５および裏面書込機能付プリンタ４０は制御装置１５ａにより駆動制御され、上述した表面情報出力部１４と裏面情報判断部３７ａは制御装置１５ａに内蔵されている。
【００４２】
次にこのような構成からなる本実施の形態の作用について、図１乃至図３（ａ）（ｂ）を用いて説明する。
【００４３】
まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【００４４】
ここでＩＤ情報入力部１１としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部１１により用紙に記入されたＩＤ番号、氏名、生年月日、住所等のＩＤ情報を読取るようになっている。
【００４５】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【００４６】
同時に顔画像情報生成部１３では、個人の顔画像がカメラ等により撮影され、顔画像情報２ｂが生成されるとともに、生成された顔画像情報２ｂはＩＤ情報２ｃとともに、制御装置１５ａ内の表裏面情報出力部１４へ送られる。
【００４７】
制御装置１５内の表裏面情報出力部１４は、次に表面情報２ａ、顔画像情報２ｂおよびＩＤ情報２ｃに基づいて、ＩＣカード用書込機能付プリンタ１５を駆動制御する。すなわちＩＣカード用書込機能付プリンタ１５内においてＩＣカード１の表面２に表面情報２ａ、ＩＤ情報２ｃおよび顔画像情報２ｂが印字され、かつＩＣチップ１ａ内に表面情報２ａが書込まれる。
【００４８】
次に制御装置１５ａにより駆動制御されるＩＣカード用書込機能付プリンタ１５内における作用について詳述する。
【００４９】
まず、印字および書込みがなされていないＩＣカード１がＩＣカード用スタッカ２１内に積層して集積されている。次にＩＣカード用スタッカ２１から印字および書込みがなされていないＩＣカード１が第１搬送ライン３２へ送られ、ＩＣカード１は第１搬送ライン３２に沿って搬送される。
【００５０】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【００５１】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面に定着される。
【００５２】
その後ＩＣカード１は第１搬送ライン３２によって表面印字部２６に送られ、この表面印字部２６においてＩＣカード１の表面２に表面情報２ａおよびＩＤ情報２ｃが印字される。
【００５３】
次にＩＣカード１は第１搬送ライン３２から第１リーダライタ２７へ送られ、この第１リーダライタ２７においてＩＣカード１のＩＣチップ１ａに対して表面情報２ａ、顔画像情報２ｂおよびＩＤ情報２ｃが書込まれる。
【００５４】
このようにして表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００５５】
次にＩＣカード１は第２搬送ライン３３により搬送され、選別排出部３７に達する。ＩＣカード１はこの選別排出部３７により振分けられる。すなわちＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００５６】
他方、表面２に表面情報２ａ、顔画像情報２ｂおよびＩＤ情報２ｃが印字され、ＩＣチップ１ａに表面情報２ａおよびＩＤ情報２ｃが書込まれるとともに、裏面３にも裏面情報３ａを印字する必要があり、かつＩＣチップ１ａに裏面情報３ａを書込む必要があるＩＤカード１は裏面印字集積部３６へ送られる。
【００５７】
この間、選別排出部３７はＩＣカード１のＩＣチップ１ａに書込まれたＩＤ情報２ｃを読み取り、選別排出部３７により読み取られたＩＤ情報２ｃは裏面情報判断部３７ａに送られ、この裏面情報判断部３７ａによりＩＤ情報２ｃと表裏情報出力部１４からの情報に基づいて、当該ＩＣカード１に印字する裏面情報３ａが有るか否か判断される。
【００５８】
そして裏面情報判断部３７ａからの信号に基づいて、印字すべき裏面情報３ａが有るＩＣカード１のみを選別排出部３７により裏面印字集積部３６に送り、印字すべき裏面情報３ａがないＩＣカード１は第１集積部３５ａおよび第２集積部３５ｂへ送られる。
【００５９】
次に裏面情報判断部３７ａが印字すべき裏面情報が有ると判断して裏面印字集積部３６に送られたＩＣカード１は、その後裏面書込機能付プリンタ４０へ送られる。そしてＩＣカード１はこの裏面書込機能付プリンタ４０内において、まず表裏面情報出力部１４からの情報に基づいて、第２リーダライタ４１によりＩＣチップ１ａ内に裏面情報３ａが書込まれ、続いて裏面印字部４２によりＩＣカード１の裏面３に裏面情報３ａが印字される。
【００６０】
このようにしてＩＣカード用書込機能付プリンタ１５および裏面書込機能付プリンタ４０によって、ＩＣカード１に対する印字および書込作業が終了し、印字および書込済のＩＣカード１が得られる。
【００６１】
なお、ＩＣカード用書込機能付プリンタ１５および裏面書込機能付プリンタ４０における各構成部分は、上述のようにプリンタ制御部１５ａにより駆動制御される。
【００６２】
上述のように、ＩＣカード用書込機能付プリンタ１５によって印字および書込みが行なわれたＩＣカード１は、次に裏面書込機能付プリンタ４０へ送られるが、この間第２リーダライタ４１および裏面情報判断部３７ａは表裏面情報出力部１４からの情報を参照しながらＩＣチップ１ａ内に正しく表面情報２ａが書込まれているか否か判定し、正しく情報が書込まれていない場合、ＩＣチップ１ａ内に正しい表面情報２ａを書き込むことができる。
【００６３】
なお印字すべき裏面情報がないと判断されて第１集積部３５ａおよび第２集積部３５ｂへ送られたＩＣカード１は、裏面書込機能付プリンタ４０を経ることなく外方へ排出される。
【００６４】
次に裏面書込機能付プリンタ４０を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００６５】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００６６】
以上のように本実施の形態によれば、ＩＣカード１のＩＣチップ１ａに書込まれたＩＤ情報に基づいて裏面情報判断部３７ａにより印字すべき裏面情報３ａが有るか否かが判断され、印字すべき裏面情報３ａが有るＩＣカード１と、印字すべき裏面情報３ａが無いＩＣカード１とを選別排出部３７により区別することができる。そして、印字すべき裏面情報３ａの無いＩＣカード１をそのまま外方へ排出し、印字すべき裏面情報３ａの有るＩＣカード１のみに対して裏面書込機能付プリンタ４０によりＩＣチップ１ａに裏面情報３ａを書込むとともに、ＩＣカード１の裏面３に裏面情報３ａを印字するので、効率良く安全にＩＣカード１を作製することができる。
【００６７】
なお、上記実施の形態において、選別排出部３７で読み取ったＩＤ情報２ｃと、表裏面情報出力部１４からの情報に基づいて裏面情報判断部３７ａが裏面情報３ａの有無を判断する例を示したがこれに限らず、裏面情報判断部３７ａは選別排出部３７で読み取ったＩＤ情報と、データベース１２からの情報に基づいて裏面情報の有無を判断しても良い。
【００６８】
また裏面情報判断部３７ａが裏面情報３ａが有ると判断した場合、表裏面情報出力部１４内の情報に基づいて第２リーダライタ４１によりＩＣチップ１ａに対して裏面情報３ａを書込むとともに、裏面印字部４２によりＩＣカード１の裏面３に対して裏面情報３ａを印字する例を示したが、これに限らずデータベース１２内の情報に基づいて第２リーダライタ４１によりＩＣチップ１ａに対して裏面情報３ａを書込むとともに、裏面印字部４２によりＩＣカード１の裏面３に対して裏面情報３ａを印字してもよい。
【００６９】
また第２リーダライタ４１によりＩＣカード１のＩＣチップ１ａ内の情報を読み取る際、ＩＣチップ１ａ内の情報を読み取ることができない場合、当該ＩＣカード１は不良品と考えて、図示しない排出部により外部へ排出してもよい。あるいは第２リーダライタ４１の代わりに他の読み取り装置によってＩＣカード１のＩＣチップ１ａ内の情報を読み取り、不良品を排出部から外部へ排出してもよい。
【００７０】
第１の実施の形態の変形例
次に図４により本発明の第１の実施の形態の変形例について説明する。
【００７１】
図４に示す変形例は、第１リーダライタ２７により、表面情報２ａおよびＩＤ情報２ｃをＩＣカード１のＩＣチップ１ａに書込むとともに、同時に裏面情報３ａも書込んでいる。また第２リーダライタ４１により、ＩＣチップ１ａに書込まれた裏面情報３ａを読み取り、第２リーダライタ４１により読み取られた裏面情報３ａに基づいて裏面印字部４２によりＩＣカード１の裏面３に裏面情報３ａを印字している。
【００７２】
図４に示す変形例において、他の構成は図１乃至図３に示す第１の実施の形態と略同一である。
【００７３】
図４に示す変形例において、図１乃至図３に示す第１の実施の形態と同一部分には同一符号を付して詳細な説明は省略する。
【００７４】
図２および図４において、まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【００７５】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【００７６】
同時に顔画像情報生成部１３では、個人の顔画像がカメラ等により撮影され、顔画像情報２ｂが生成されるとともに、生成された顔画像情報２ｂはＩＤ情報２ｃとともに、制御装置１５ａ内の表裏面情報出力部１４へ送られる。
【００７７】
制御装置１５内の表裏面情報出力部１４は、次に表面情報２ａ、裏面情報３ａ、顔画像情報２ｂおよびＩＤ情報２ｃに基づいて、ＩＣカード用書込機能付プリンタ１５を駆動制御する。すなわちＩＣカード用書込機能付プリンタ１５内においてＩＣカード１の表面２に表面情報２ａ、ＩＤ情報２ｃおよび顔画像情報２ｂが印字され、かつＩＣチップ１ａ内に表面情報２ａおよび裏面情報３ａが書込まれる。
【００７８】
次に制御装置１５ａにより駆動制御されるＩＣカード用書込機能付プリンタ１５内における作用について詳述する。
【００７９】
まず、印字および書込みがなされていないＩＣカード１がＩＣカード用スタッカ２１内に積層して集積されている。次にＩＣカード用スタッカ２１から印字および書込みがなされていないＩＣカード１が第１搬送ライン３２へ送られ、ＩＣカード１は第１搬送ライン３２に沿って搬送される。
【００８０】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【００８１】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面に定着される。
【００８２】
その後ＩＣカード１は第１搬送ライン３２によって表面印字部２６に送られ、この表面印字部２６においてＩＣカード１の表面２に表面情報２ａおよびＩＤ情報２ｃが印字される。
【００８３】
次にＩＣカード１は第１搬送ライン３２から第１リーダライタ２７へ送られ、この第１リーダライタ２７においてＩＣカード１のＩＣチップ１ａに対して表面情報２ａ、裏面情報３ａおよびＩＤ情報２ｃが書込まれる。
【００８４】
このようにして表面情報２ａ、顔画像情報２ｂ、ＩＤ情報２ｃが表面２に印字され、かつＩＣチップ１ａに表面情報２ａ、ＩＤ情報２ｃ、および裏面情報３ａが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００８５】
次にＩＣカード１は第２搬送ライン３３により搬送され、選別排出部３７に達する。ＩＣカード１はこの選別排出部３７により振分けられる。すなわち、ＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００８６】
他方、表面２に表面情報２ａ、顔画像情報２ｂおよびＩＤ情報２ｃが印字され、ＩＣチップ１ａに表面情報２ａ、ＩＤ情報２ｃおよび裏面情報３ａが書込まれるとともに、裏面３にも裏面情報３ａを印字する必要があるＩＤカード１は裏面印字集積部３６へ送られる。
【００８７】
この間、選別排出部３７はＩＣカード１のＩＣチップ１ａに書込まれたＩＤ情報２ｃを読み取り、選別排出部３７により読み取られたＩＤ情報２ｃは裏面情報判断部３７ａに送られ、この裏面情報判断部３７ａによりＩＤ情報２ｃと表裏情報出力部１４からの情報に基づいて、当該ＩＣカード１に印字する裏面情報３ａが有るか否か判断される。
【００８８】
そして裏面情報判断部３７ａからの信号に基づいて、印字すべき裏面情報３ａが有るＩＣカード１のみを選別排出部３７により裏面印字集積部３６に送り、印字すべき裏面情報３ａがないＩＣカード１は第１集積部３５ａおよび第２集積部３５ｂへ送られる。
【００８９】
次に裏面情報判断部３７ａが印字すべき裏面情報が有ると判断して裏面印字集積部３６に送られたＩＣカード１は、その後裏面書込機能付プリンタ４０へ送られる。そしてＩＣカード１はこの裏面書込機能付プリンタ４０内において、まず第２リーダライタ４１によりＩＣチップ１ａ内に予め書込まれた裏面情報３ａが読み取られ、この読み取られた裏面情報３ａに基づいて、裏面印字部４２によりＩＣカード１の裏面３に裏面情報３ａが印字される。
【００９０】
このようにしてＩＣカード用書込機能付プリンタ１５および裏面書込機能付プリンタ４０によって、ＩＣカード１に対する印字および書込作業が終了し、印字および書込済のＩＣカード１が得られる。
【００９１】
なお、ＩＣカード用書込機能付プリンタ１５および裏面書込機能付プリンタ４０における各構成部分は、上述のようにプリンタ制御部１５ａにより駆動制御される。
【００９２】
上述のように、ＩＣカード用書込機能付プリンタ１５によって印字および書込みが行なわれたＩＣカード１は、次に裏面書込機能付プリンタ４０へ送られるが、この間第２リーダライタ４１および裏面情報判断部３７ａは表裏面情報出力部１４からの情報を参照しながらＩＣチップ１ａ内に正しく表面情報２ａが書込まれているか否か判定し、正しく情報が書込まれていない場合、ＩＣチップ１ａ内に正しい表面情報２ａを書き込むことができる。
【００９３】
なお印字すべき裏面情報がないと判断されて第１集積部３５ａおよび第２集積部３５ｂへ送られたＩＣカード１は、裏面書込機能付プリンタ４０を経ることなく外方へ排出される。
【００９４】
次に裏面書込機能付プリンタ４０を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００９５】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００９６】
以上のように本実施の形態によれば、ＩＣカード１のＩＣチップ１ａに書込まれたＩＤ情報に基づいて裏面情報判断部３７ａにより印字すべき裏面情報３ａが有るか否かが判断され、印字すべき裏面情報３ａが有るＩＣカード１と、印字すべき裏面情報３ａが無いＩＣカード１とを選別排出部３７により区別することができる。そして、印字すべき裏面情報３ａの無いＩＣカード１をそのまま外方へ排出し、印字すべき裏面情報３ａの有るＩＣカード１のみに対して裏面書込機能付プリンタ４０の第２リーダライタ４１によりＩＣチップ１ａに書込まれた裏面情報３ａを読み取るとともに、読み取られた裏面情報３ａに基づいてＩＣカード１の裏面３に裏面情報３ａを裏面印字部４２により印字するので、効率良く安全にＩＣカード１を作製することができる。
【００９７】
なお、上記実施の形態において、裏面情報判断部３７ａは選別排出部３７で読み取ったＩＤ情報２ｃと、表裏面情報出力部１４からの情報に基づいて裏面情報３ａの有無を判断する例を示したがこれに限らず、裏面情報判断部３７ａは選別排出部３７で読み取ったＩＤ情報と、データベース１２からの情報に基づいて裏面情報の有無を判断しても良い。
【００９８】
第２の実施の形態
次に図５および図６により本発明の第２の実施の形態について説明する。
【００９９】
図５および図６は本発明によるＩＣカードの印字、書込システムの一実施の形態を示す図である。
【０１００】
本発明によるＩＣカードの印字、書込システムは、図３（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、社員カード、銀行カード、運転免許証等のＩＣカードを作製するものである。この場合、裏面情報のうちＩＣカード裏面に印字できない追記情報５ａは、追記情報ラベル５に印字される。
【０１０１】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【０１０２】
このようなＩＣカードの印字、書込システム１０は図５および図６に示すように、ＩＣカードの印字、書込みを行なう必要がある個人のＩＤ情報２ｃが入力されるＩＤ情報入力部１１と、多数の個人の表面情報２ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃおよび表面情報２ａ、あるいはＩＤ情報２ｃおよび裏面情報３ａを出力するデータベース１２と、ＩＤ情報入力部１１からのＩＤ情報２ｃに基づいて、このＩＤ情報２ｃに対応した顔画像情報２ｂを生成する顔画像生成手段１３とを備えている。
【０１０３】
このうち顔画像生成手段１３はカメラ等の撮影装置、または予め作成された顔画像を電子データとして取込んで顔画像情報を生成する装置からなっている。
【０１０４】
またデータベース１２および顔画像情報生成部１３に、データベース１２からのＩＤ情報２ｃおよびＩＤ情報２ｃに対応する表面情報２ａ、あるいはＩＤ情報２ｃおよびＩＤ情報に対応する裏面情報３ａが送られるとともに、顔画像情報生成部１３からの顔画像情報２ｂが送られる表裏面情報出力部１４が接続されている。さらに表裏面情報出力部１４に、ＩＤ情報２ｃ、表面情報２ａ、裏面情報３ａ、および顔画像情報２ｂに基づいて、ＩＣカード１の表面２に表面情報２ａ、顔画像情報２ｂおよびＩＤ情報２ｃを印字するとともに、ＩＣカード１の裏面３に裏面情報３ａを印字するＩＣカード用書込機能付プリンタ１５が接続されている。
【０１０５】
このＩＣカード用書込機能付プリンタ１５においては、ＩＣカード１のＩＣチップ１ａ内に、表面情報２ａおよび裏面情報３ａが書込まれる。
【０１０６】
さらにＩＣカード用書込機能付プリンタ１５には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部１８が接続されている。
【０１０７】
次にＩＣカード用書込機能付プリンタ１５について図６により更に詳述する。
【０１０８】
図６に示すようにＩＣカード用書込機能付プリンタ１５は、ケーシング２０と、ケーシング２０内上方に設けられＩＣカード１を積層して収納するＩＣカード用スタッカ２１と、ＩＣカード用スタッカ２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印字される。
【０１０９】
またＣ印刷部２４の下流側には、Ｙ印刷部２２、Ｍ印刷部２３およびＣ印刷部２４によって印刷されたインキをＩＣカード１の表面２に定着させるインキ定着部２５が設けられ、さらにインキ定着部２５の下流側にはＩＣカード１の表面２に表面情報２ａおよびＩＤ情報２ｃを印字する表面印字部２６が設けられている。この場合、Ｙ印刷部２２、Ｍ印刷部２３、Ｃ印刷部２４、インキ定着部２５および表面印字部２６によって第１プリンタ２２〜２６が構成されている。
【０１１０】
表面印字部２６を通過したＩＣカード１は第１搬送ライン３２から第１リーダライタ２７に送られ、落下部３８からケーシング２０下方にある第２搬送ライン３３へ送られる。
【０１１１】
このうち、第１リーダライタ２７は、ＩＣカード１のＩＣチップ１ａに表面情報２ａおよびＩＤ情報２ｃを書込むものである。
【０１１２】
さらに第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９のの下流側に第１保護シート上に更に第２保護シート（図示せず）を設ける第２保護シート形成部３０が設けられている。
【０１１３】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を振分ける選別排出部３７が設けられている。また選別排出部３７の下流側には、裏面書込機能付プリンタ４０および集積部４６が設けられ、この裏面書込機能付プリンタ４０および集積部４６はＩＣカード用書込機能付プリンタ１５内に一体に組込まれている。
【０１１４】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部（第２プリンタ）４２とを有している。
【０１１５】
ところで第２リーダライタ４１は、ＩＣカード１のＩＣチップ１ａに書込まれたＩＤ情報２ｃを読み取る機能を有し、第２リーダライタ４１により読み取られたＩＤ情報２ｃは裏面情報判断部４１ａに送られ、この裏面情報判断部４１ａにより当該ＩＣカード１に印字する裏面情報３ａが有るか否か判断される。
【０１１６】
裏面情報判断部３７ａは、読み取られたＩＤ情報２ｃと、表裏面情報出力部１４内の情報に基づいて、ＩＣカード１に印字する裏面情報３ａが有るか否か判断し、印字すべき裏面情報３ａが有るＩＣカード１のみに対して、第２リーダライタ４１によって裏面情報３ａをＩＣチップ１ａ内に書込み、かつ裏面印字部４２によってＩＣカード１の裏面３に裏面情報３ａを印字する。
【０１１７】
ところでＩＣカード用書込機能付プリンタ１５および裏面書込機能付プリンタ４０は制御装置１５ａにより駆動制御され、上述した表面情報出力部１４と裏面情報判断部４１ａは制御装置１５ａに内蔵されている。
【０１１８】
次にこのような構成からなる本実施の形態の作用について、図５および図６を用いて説明する。
【０１１９】
まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【０１２０】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【０１２１】
同時に顔画像情報生成部１３では、個人の顔画像がカメラ等により撮影され、顔画像情報２ｂが生成されるとともに、生成された顔画像情報２ｂはＩＤ情報２ｃとともに、制御装置１５ａ内の表裏面情報出力部１４へ送られる。
【０１２２】
制御装置１５内の表裏面情報出力部１４は、次に表面情報２ａ、顔画像情報２ｂおよびＩＤ情報２ｃに基づいて、ＩＣカード用書込機能付プリンタ１５を駆動制御する。すなわちＩＣカード用書込機能付プリンタ１５内においてＩＣカード１の表面２に表面情報２ａ、ＩＤ情報２ｃおよび顔画像情報２ｂが印字され、かつＩＣチップ１ａ内に表面情報２ａが書込まれる。
【０１２３】
次に制御装置１５ａにより駆動制御されるＩＣカード用書込機能付プリンタ１５内における作用について詳述する。
【０１２４】
まず、印字および書込みがなされていないＩＣカード１がＩＣカード用スタッカ２１内に積層して集積されている。次にＩＣカード用スタッカ２１から印字および書込みがなされていないＩＣカード１が第１搬送ライン３２へ送られ、ＩＣカード１は第１搬送ライン３２に沿って搬送される。
【０１２５】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【０１２６】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面２に定着される。
【０１２７】
その後ＩＣカード１は第１搬送ライン３２によって表面印字部２６に送られ、この表面印字部２６においてＩＣカード１の表面２に表面情報２ａおよびＩＤ情報２ｃが印字される。
【０１２８】
次にＩＣカード１は第１搬送ライン３２から第１リーダライタ２７へ送られ、この第１リーダライタ２７においてＩＣカード１のＩＣチップ１ａに対して表面情報２ａおよびＩＤ情報２ｃが書込まれる。
【０１２９】
このようにして表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【０１３０】
次にＩＣカード１は第２搬送ライン３３により搬送され、選別排出部３７を経て裏面書込機能付プリンタ４０の第２リーダライタ４１に達する。
【０１３１】
第２のリーダライタ４１はＩＣカード１のＩＣチップ１ａに書込まれたＩＤ情報２ｃを読み取り、第２のリーダライタ４１により読み取られたＩＤ情報２ｃは裏面情報判断部４１ａに送られ、この裏面情報判断部４１ａによりＩＤ情報２ｃと表裏情報出力部１４からの情報に基づいて、当該ＩＣカード１に印字する裏面情報３ａが有るか否か判断される。
【０１３２】
そして裏面情報判断部４１ａからの信号に基づいて、印字すべき裏面情報３ａが有るＩＣカード１のみが裏面印字部４２へ送られ、印字すべき裏面情報３ａがないＩＣカード１は裏面印字部４２を通過することなく集積部４６へ送られる。
【０１３３】
次に裏面情報判断部４１ａが印字すべき裏面情報が有ると判断した場合、ＩＣカード１は裏面書込機能付プリンタ４０内において、まず表裏面情報出力部１４からの情報に基づいて、第２リーダライタ４１によりＩＣチップ１ａ内に裏面情報３ａが書込まれ、続いて裏面印字部４２によりＩＣカード１の裏面３に裏面情報３ａが印字される。
【０１３４】
このようにしてＩＣカード用書込機能付プリンタ１５によって、ＩＣカード１に対する印字および書込作業が終了し、印字および書込済のＩＣカード１が得られる。
【０１３５】
なお、ＩＣカード用書込機能付プリンタ１５における各構成部分は、上述のようにプリンタ制御部１５ａにより駆動制御される。
【０１３６】
ところで第２リーダライタ４１および表裏面情報出力部１４は表裏面情報出力部１４からの情報に基づいて、ＩＣチップ１ａ内に正しく表面情報２ａが書込まれているか否か判定し、正しく情報が書込まれていない場合、ＩＣチップ１ａ内に正しい表面情報２ａを書き込むことができる。
【０１３７】
なお印字すべき裏面情報がないと判断されたＩＣカード１は、裏面印字部４２を経ることなく集積部４６から外方へ排出される。
【０１３８】
次にＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【０１３９】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【０１４０】
以上のように本実施の形態によれば、ＩＣカード１のＩＣチップ１ａに書込まれたＩＤ情報に基づいて裏面情報判断部４１ａにより印字すべき裏面情報３ａが有るか否かが判断され、印字すべき裏面情報３ａが有るＩＣカード１と、印字すべき裏面情報３ａが無いＩＣカード１とを区別することができる。そして、印字すべき裏面情報３ａの無いＩＣカード１は裏面印字部４２を経ることなく、そのまま集積部４６を経て外方へ排出される。そして印字すべき裏面情報３ａの有るＩＣカード１のみに対して第２のリーダライタ４１によりＩＣチップ１ａに裏面情報３ａを書込むとともに、裏面印字部４２によりＩＣカード１の裏面３に裏面情報３ａを印字するので、効率良く安全にＩＣカード１を作製することができる。
【０１４１】
なお、上記実施の形態において、裏面情報判断部４１ａは第２リーダライタ４１で読み取ったＩＤ情報２ｃと、表裏面情報出力部１４からの情報に基づいて裏面情報３ａの有無を判断する例を示したがこれに限らず、第２のリーダライタ４１で読み取ったＩＤ情報２ｃと、データベース１２からの情報に基づいて裏面情報の有無を判断しても良い。
【０１４２】
また裏面情報判断部４１ａが裏面情報３ａが有ると判断した場合、表裏面情報出力部１４内の情報に基づいて第２リーダライタ４１によりＩＣチップ１ａに対して裏面情報３ａを書込むとともに、裏面印字部４２によりＩＣカード１の裏面３に対して裏面情報３ａを印字する例を示したが、これに限らずデータベース１２内の情報に基づいて第２リーダライタ４１によりＩＣチップ１ａに対して裏面情報３ａを書込むとともに、裏面印字部４２によりＩＣカード１の裏面３に対して裏面情報３ａを印字してもよい。
【０１４３】
第２の実施の形態の変形例
次に図７により本発明の第２の実施の形態の変形例について説明する。
【０１４４】
図７に示す変形例は、第１リーダライタ２７により、表面情報２ａおよびＩＤ情報２ｃをＩＣカード１のＩＣチップ１ａに書込むとともに、同時に裏面情報３ａも書込んでいる。また第２リーダライタ４１により、ＩＣチップ１ａに書込まれた裏面情報３ａを読み取り、第２リーダライタ４１により読み取られた裏面情報３ａに基づいて裏面印字部４２によりＩＣカード１の裏面３に裏面情報３ａを印字している。
【０１４５】
図７に示す変形例において、他の構成は図５および図６に示す第２の実施の形態と略同一である。
【０１４６】
図７に示す変形例において、図５および図６に示す第１の実施の形態と同一部分には同一符号を付して詳細な説明は省略する。
【０１４７】
図６および図７において、まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【０１４８】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【０１４９】
同時に顔画像情報生成部１３では、個人の顔画像がカメラ等により撮影され、顔画像情報２ｂが生成されるとともに、生成された顔画像情報２ｂはＩＤ情報２ｃとともに、制御装置１５ａの表裏面情報出力部１４へ送られる。
【０１５０】
制御装置１５の表裏面情報出力部１４は、次に表面情報２ａ、裏面情報３ａ、顔画像情報２ｂおよびＩＤ情報２ｃに基づいて、ＩＣカード用書込機能付プリンタ１５を駆動制御する。すなわちＩＣカード用書込機能付プリンタ１５内においてＩＣカード１の表面２に表面情報２ａ、ＩＤ情報２ｃおよび顔画像情報２ｂが印字され、かつＩＣチップ１ａ内に表面情報２ａおよび裏面情報３ａが書込まれる。
【０１５１】
次に制御装置１５ａにより駆動制御されるＩＣカード用書込機能付プリンタ１５内における作用について詳述する。
【０１５２】
まず、印字および書込みがなされていないＩＣカード１がＩＣカード用スタッカ２１内に積層して集積されている。次にＩＣカード用スタッカ２１から印字および書込みがなされていないＩＣカード１が第１搬送ライン３２へ送られ、ＩＣカード１は第１搬送ライン３２に沿って搬送される。
【０１５３】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【０１５４】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面２に定着される。
【０１５５】
その後ＩＣカード１は第１搬送ライン３２によって表面印字部２６に送られ、この表面印字部２６においてＩＣカード１の表面２に表面情報２ａおよびＩＤ情報２ｃが印字される。
【０１５６】
次にＩＣカード１は第１搬送ライン３２から第１リーダライタ２７へ送られ、この第１リーダライタ２７においてＩＣカード１のＩＣチップ１ａに対して表面情報２ａ、裏面情報３ａおよびＩＤ情報２ｃが書込まれる。
【０１５７】
このようにして表面情報２ａ、顔画像情報２ｂ、ＩＤ情報２ｃが表面２に印字され、かつＩＣチップ１ａに表面情報２ａ、ＩＤ情報２ｃ、および裏面情報３ａが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【０１５８】
次にＩＣカード１は第２搬送ライン３３により搬送され、選別排出部３７を経て裏面書込機能付プリンタ４０の第２リーダライタ４１に達する。
【０１５９】
第２リーダライタ４１はＩＣカード１のＩＣチップ１ａに書込まれたＩＤ情報２ｃを読み取り、第２リーダライタ４１により読み取られたＩＤ情報２ｃは裏面情報判断部４１ａに送られ、この裏面情報判断部４１ａによりＩＤ情報２ｃと表裏情報出力部１４からの情報に基づいて、当該ＩＣカード１に印字する裏面情報３ａが有るか否か判断される。このとき第２リーダライタ４１は、ＩＣチップ１ａに書込まれた表面情報２ａおよび裏面情報３ａも読み取っている。
【０１６０】
そして裏面情報判断部４１ａからの信号に基づいて、印字すべき裏面情報３ａが有るＩＣカード１のみが選別排出部３７により裏面印字部４２へ送られ、印字すべき裏面情報３ａがないＩＣカード１は裏面印字部４２を通過することなく集積部４６へ送られる。
【０１６１】
次に裏面情報判断部４１ａが印字すべき裏面情報が有ると判断した場合、ＩＣカード１は裏面書込機能付プリンタ４０内の裏面印字部４２において、第２リーダライタ４１により読み取られた裏面情報３ａに基づいて、ＩＣカード１の裏面３に裏面情報３ａが印字される。
【０１６２】
このようにしてＩＣカード用書込機能付プリンタ１５によって、ＩＣカード１に対する印字および書込作業が終了し、印字および書込済のＩＣカード１が得られる。
【０１６３】
なお、ＩＣカード用書込機能付プリンタ１５における各構成部分は、上述のようにプリンタ制御部１５ａにより駆動制御される。
【０１６４】
ところで、第２リーダライタ４１および裏面情報出力部１４は表裏面情報出力部１４からの情報に基づいて、ＩＣチップ１ａ内に正しく表面情報２ａが書込まれているか否か判定し、正しく情報が書込まれていない場合、ＩＣチップ１ａ内に正しい表面情報２ａを書き込むことができる。
【０１６５】
なお印字すべき裏面情報がないと判断されたＩＣカード１は、裏面印字部４２を経ることなく集積部４６から外方へ排出される。
【０１６６】
次に裏面書込機能付プリンタ４０を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【０１６７】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【０１６８】
以上のように本実施の形態によれば、ＩＣカード１のＩＣチップ１ａに書込まれたＩＤ情報に基づいて裏面情報判断部４１ａにより印字すべき裏面情報３ａが有るか否かが判断され、印字すべき裏面情報３ａが有るＩＣカード１と、印字すべき裏面情報３ａが無いＩＣカード１とを区別することができる。そして、印字すべき裏面情報３ａの無いＩＣカード１は裏面印字部４２を経ることなくそのまま集積部４６を経て外方へ排出される。そして印字すべき裏面情報３ａの有るＩＣカード１のみに対して第２リーダライタ４１により読み取られた裏面情報３ａに基づいて、ＩＣカード１の裏面３に裏面情報３ａを印字するので、効率良く安全にＩＣカード１を作製することができる。
【０１６９】
なお、上記実施の形態において、裏面情報判断部４１ａは第２リーダライタ４１で読み取ったＩＤ情報２ｃと、表裏面情報出力部１４からの情報に基づいて裏面情報３ａの有無を判断する例を示したがこれに限らず、第２リーダライタ４１で読み取ったＩＤ情報２ｃと、データベース１２からの情報に基づいて裏面情報の有無を判断しても良い。
【符号の説明】
【０１７０】
１      ＩＣカード
１ａ    ＩＣチップ
２      表面
２ａ    表面情報
２ｂ    顔画像情報
２ｃ    ＩＤ情報
３      裏面
３ａ    裏面情報
１０    ＩＣカードの印字、書込システム
１１    ＩＤ情報入力部
１２    データベース
１３    顔画像情報生成部
１４    表裏面情報出力部
１５    ＩＣカード用書込機能付プリンタ
１５ａ  制御装置
２２    Ｙ印刷部
２３    Ｍ印刷部
２４    Ｃ印刷部
２５    インキ定着部
２６    表面印字部
２７    第１リーダライタ
２９    第１保護シート形成部
３０    第２保護シート形成部
３７    選別排出部
３７ａ  裏面情報判断部
４０    裏面書込機能付プリンタ
４１    第２リーダライタ
４１ａ  裏面情報判断部
４２    裏面印字部
【図１】
0005477698.tif 000002
【図２】
0005477698.tif 000003
【図３】
0005477698.tif 000004
【図４】
0005477698.tif 000005
【図５】
0005477698.tif 000006
【図６】
0005477698.tif 000007
【図７】
0005477698.tif 000008